(57)【要約】【課題】装着作業が容易かつ確実な歯科用ラミネートベニアを提供する。【解決手段】ラミネートベニア１は、歯型を基に所定の色調を有する歯科用合成樹脂を成形することによって、その内面を歯牙２の前面２ａ形状に対応するよう形成するとともに、前記歯牙２ａの前面全体を被覆する形状に形成し、その先端縁に、前記歯牙２先端縁に係止する係止用折曲部３を形成してなる。そして、その先端縁に前記歯牙２先端に係止する係止用折曲部３を設けたので、歯科医師が装着作業を行うときに、前記係止用折曲部３を歯牙２先端に係止することによって、接着すべき適正な位置への位置決めが容易であり、たとえ不慣れな歯科医師であっても該作業を確実に行うことができる。【選択図】図４
0003115429.tif 000002
【実用新案登録請求の範囲】
【請求項１】
歯科用合成樹脂を歯牙の前面全体を被覆する形状となし、その先端縁に、前記歯牙先端縁に係止する係止用折曲部を形成した歯科用ラミネートベニア。
【請求項２】
歯科用合成樹脂を歯牙の前面全体を被覆する形状となし、その先端縁の中央を除く部分に、前記歯牙先端縁に係止する一対の係止用折曲部を形成した歯科用ラミネートベニア。
【考案の詳細な説明】
【技術分野】
【０００１】
本考案は、歯の前面側を被覆して歯を美しく見せるための歯科用ラミネートベニアに関するものである。
【背景技術】
【０００２】
従来、歯を美しく見せるための方法としては、美白用薬剤を使用するものがあったが、この方法は歯に悪影響を与えるので、歯の前面にカバーを接着する方法が提案されている（特許文献１参照）。
【０００３】
【特許文献１】実開平０３−０８０７１３号公報
【考案の開示】
【考案が解決しようとする課題】
【０００４】
上記従来例のカバーは、その内側に接着剤を塗布して、歯牙前面の適正な位置に貼り付ける際の位置決めに熟練を要し、不慣れな歯科医にとってこの正確な位置決めが要求される装着作業が煩雑かつ難しいという問題があった。本考案は、前記問題を解消することを課題とし、この課題を解決することを目的とする。
【課題を解決するための手段】
【０００５】
上記目的を達成するために、請求項１に記載の本考案は、歯科用合成樹脂を歯牙の前面全体を被覆する形状となし、その先端縁に、前記歯牙先端縁に係止する係止用折曲部を形成したものである。
【０００６】
また、請求項２に記載の本考案は、歯科用合成樹脂を歯牙の前面全体を被覆する形状となし、その先端縁の中央を除く部分に、前記歯牙先端縁に係止する一対の係止用折曲部を形成したものである。
【考案の効果】
【０００７】
前記請求項１に記載の本考案は、その先端縁に、前記歯牙先端に係止する係止用折曲部を設けたので、歯科医師が装着作業を行うときに、前記係止用折曲部を歯牙先端に係止することによって、接着すべき適正な位置への位置決めが容易であり、たとえ不慣れな歯科医師であっても該装着作業を確実に行うことができるという効果を奏する。
【０００８】
さらに、前記請求項２に記載の本考案は、その先端縁の中央を除く部分に、前記歯牙先端縁に係止する一対の係止用折曲部を設けたので、特に先端が尖った歯牙に対して接着すべき適正な位置への位置決めが容易であり、たとえ不慣れな歯科医師であっても該装着作業を確実に行うことができるという効果を奏する。
【考案を実施するための最良の形態】
【０００９】
以下に本考案の好適な第１の実施形態を添付図面の図１〜図４に基づいて詳細に説明する。ここにおいて、図１は側面図、図２は背面図、図３は歯牙に装着する前の状態を示す正面図、図４は歯牙に装着した状態の側面図である。
【００１０】
図１〜図４に示すように、ラミネートベニア１は、笑ったときなどに口外から見える所定の歯牙２の歯型（図示せず）を基に、所定の色調、例えば所定の白さに調整した歯科用の合成樹脂、例えばレジンを成形することによって形成するものである。また、その内面は、前記歯牙２の前面２ａの凹凸に対応するよう形成し、その形状は、前記前面２ａ全体を被覆するように形成し、その先端縁には、前記前歯２先端縁に係止するよう内側に折曲させた係止用折曲部３を形成する。このラミネートベニア１は、薄ければ薄いほど装着時の違和感はないが、強度的に劣るものとなるので、０．５ｍｍ程度が好ましい。
【００１１】
続いて、上記ラミネートベニア１の作成と歯牙２への装着について説明する。先ず、歯科医師が装着者の希望する歯牙の歯型を採る。次に、歯科技工士が前記歯型を基に、歯科用合成樹脂で前記ラミネートベニア１を成形する。このようにして作成したラミネートベニア１を、歯科医師は、公知の歯科用接着剤を内面に塗布したうえ、係止用折曲部３を歯牙２の先端縁に係止するようにして位置決めし、歯牙２の前面に当てて押し付け接着させる。接着後は、歯牙２の前記先端縁が露出するように前記係止用折曲部３を除去する。このように、係止用折曲部３を除去するのは、歯牙２の先端縁を露出させることによって適正な咬合を確保するためである。
【００１２】
続いて、前記第１実施形態の変形例を添付図面の図５に基づいて説明する。ここにおいて、図５は正面図である。
【００１３】
この変形例のラミネートベニア４において前記第１実施形態のラミネートベニア１と相違するのは、前記ラミネートベニア４の前面に、宝飾体５を接着して設けた構成であり、他の構成は前記実施形態のラミネートベニア１と同一であるので、その詳細な説明は省略する。
【００１４】
前記ラミネートベニア４は、宝飾体５を設けたので、ファッション性を有するものとなるという利点がある。
【００１５】
次に、本考案の第２の実施形態を添付図面の図６に基づいて説明する。ここにおいて、図６は背面図である。
【００１６】
図６に示すように、ラミネートベニア１１は、前記第１の実施形態のラミネートベニア１の場合と同様に、歯型（図示せず）を基に、所定の白さを調整した歯科用合成樹脂を成形することによって形成するものである。また、その内面は、前記歯牙前面の凹凸に対応するよう形成し、その形状は、歯牙前面１２ａ全体を被覆する形状に形成し、その先端縁は、中央を除き該中央の両側に、前記歯牙１２先端縁に係止するよう内側に折曲させた一対の係止用折曲部１２，１２を形成する。また、このラミネートベニア１１が０．５ｍｍ程度が好ましいことは前記ラミネートベニア１の場合と同様である。
【００１７】
続いて、上記ラミネートベニア１１の作成と前歯への装着について説明する。前記第１の実施形態の場合と同様に、先ず、歯科医師が装着者の希望する歯牙の歯型を採る。次に、歯科技工士が前記歯型を基に、歯科用合成樹脂で前記ラミネートベニア１１を成形する。このようにして作成したラミネートベニア１１を歯科医師は、公知の歯科用接着剤を内面に塗布したうえ、前記係止用折曲部１２，１２を被装着者の所定の歯牙の先端縁に係止するようにして歯牙の前面に当てて押し付け接着する。接着後は、歯牙の先端縁が露出するように前記係止用折曲部１２，１２を除去する。前記ラミネートベニア１１は、犬歯のようなその先端縁の中央が尖った形状の歯牙に適用すると、前記先端縁の尖った中央の両側に前記係止用折曲部１２，１２が係止し、犬歯の上下方向と横方向にずれるのを防ぎ、位置決めが確実となり好適である。
【００１８】
なお、本考案は、上記各実施形態になんら限定されるものではなく、図７に示すように、係止用折曲部は、短く形成して歯牙の先端縁の中央部のみに一つ設けてもよいほか、係止用折曲部は、一つ又は二つではなく、三つ設けたものでもよく、装着する歯牙の形状に応じて選択する。また、係止用折曲部は歯牙の裏面側にまで折曲される必要はなく、歯牙の先端部に載置されるものでもよい。さらに、歯を美しく見せるためには、全体が白い必要はなく、ラミネートベニアの先端部が透明であってもよいほか、全体を透明にしたり、全体を白以外の色彩としたり、模様を施してもよい。
【図面の簡単な説明】
【００１９】
【図１】第１の実施形態における側面図。
【図２】第１の実施形態における背面図。
【図３】第１の実施形態における歯牙に装着する前の状態を示す正面図。
【図４】第１の実施形態における歯牙に装着した状態の側面図。
【図５】第１の実施形態の変形例における正面図。
【図６】第２の実施形態における背面図。
【図７】他の実施形態における背面図。
【符号の説明】
【００２０】
１    ラミネートベニア
２    歯牙
２ａ    前面
３    係止用折曲部
４    ラミネートベニア
５    装飾体
１１    ラミネートベニア
１２    係止用折曲部
【図１】
0003115429.tif 000003
【図２】
0003115429.tif 000004
【図３】
0003115429.tif 000005
【図４】
0003115429.tif 000006
【図５】
0003115429.tif 000007
【図６】
0003115429.tif 000008
【図７】
0003115429.tif 000009